(57)【要約】【課題】従来の収納スペースにダンパーやバネを収納して電子機器の蓋を半自動的に開け、且つダンパーで蓋の開く速度を制御する。【解決手段】上ケース２と下ケース６で構成され、暗証番号を入力する１０キー、５キーボタン、指紋、静脈等の生体センサーの入力部１３からの暗証番号、生体照合による認証機能を備え、上ケースに入力部を覆い隠すため上ケースに設けられる回動軸１４を中心に回動可能の蓋４を有している。蓋は、回動軸の軸線長手方向に空間１５を設け、空間に、蓋を閉状態に係止する爪１６による係止を解除したとき蓋を開状態とするためのバネ１と、バネによる開状態の動作を漸次緩行するダンパー１０とを配置している。【選択図】図４
2007154570.tif 000002
【特許請求の範囲】
【請求項１】
上ケース（２）と下ケース（６）で構成され、暗証番号を入力する１０キー、５キーボタン、指紋、静脈等の生体センサーの入力部（１３）からの前記暗証番号、生体照合による認証機能を備え、
前記上ケースに前記入力部を覆い隠すため前記上ケースに設けられる回動軸（１４）を中心に回動可能の蓋（４）を有し、
前記蓋は、前記回動軸の軸線長手方向に空間（１５）を設け、前記空間に、前記蓋を閉状態に係止する爪（１６）による係止を解除したとき前記蓋を開状態とするためのバネ（１）と、前記バネによる開状態の動作を漸次緩行するダンパー（１０）とを配置することを特徴とする電子機器の蓋構造。
【請求項２】
前記ダンパーと前記バネとの間に介在され前記ダンパーの軸（１０ａ）の一方を固定するとともに前記バネを設置固定するためのホルダー（１２）を配置し、前記ホルダーは、前記上ケースのホルダー固定部（２１）に固定することを特徴とする請求項１記載の電子機器の蓋構造。
【請求項３】
前記バネの固定部（１ａ、１ｂ）の一方（１ａ）を前記蓋に、他方（１ｂ）を前記ホルダー固定部に固定することを特徴とする請求項２記載の電子機器の蓋構造。
【請求項４】
前記ダンパーはオイルダンパーであり、前記バネの弾性を外気温度に応じて可変可能に調節する手段（３０、４０）を備えることを特徴とする請求項１乃至請求項３何れか１項記載の電子機器の蓋構造。
【発明の詳細な説明】
【技術分野】
【０００１】
本発明は電子機器の蓋構造に係り、特に蓋をあけるためのダンパーおよびバネを小スペース部分に収納可能な電子機器の蓋構造に関する。
【背景技術】
【０００２】
従来から、門や玄関等に設けられ、指紋照合装置または１０キーや５キーを用いて電気錠の解錠操作を行う電子機器が知られている。（例えば、特許文献１参照）。
【０００３】
【特許文献１】実開平６−７８５５３号公報
【発明の開示】
【発明が解決しようとする課題】
【０００４】
しかしながら、背景技術に記載した電子機器は、指紋照合装置または１０キーや５キーを用いて解錠操作するが、その場合、一般的には操作部を覆い隠す蓋があるので、操作部を操作するには手動にてその蓋を開ける必要があった。また、蓋を開状態に保持するためには、施解錠のための機構とは別の機構が必要であった。さらに、バネによって蓋を半自動で開ける構造においは蓋の開く速さを制御できず、蓋が勢いよく開いてしまう難点があった。このような電子機器は小型化されているので、ダンパーなどを使用して蓋を開ける構造を採用するには、当該ダンパー等を収納するスペースがさらに必要となるので、現時点では実現が難しかった。
【０００５】
本発明は、このような従来の難点を解決するためになされたもので、従来の収納スペースにダンパーやバネを収納して電子機器の蓋を半自動的に開けることができ、且つダンパーで蓋の開く速度を制御することができる電子機器の蓋構造を提供することを目的とする。
【課題を解決するための手段】
【０００６】
上述の目的を達成する本発明の第１の態様である電子機器の蓋構造は、上ケースと下ケースで構成され、暗証番号を入力する１０キー、５キーボタン、指紋、静脈等の生体センサーの入力部からの暗証番号、生体照合による認証機能を備え、上ケースに入力部を覆い隠すため上ケースに設けられる回動軸を中心に回動可能の蓋を有し、蓋は、回動軸の軸線長手方向に空間を設け、空間に、蓋を閉状態に係止する爪による係止を解除したとき蓋を開状態とするためのバネと、バネによる開状態の動作を漸次緩行するダンパーとを配置するものである。
【０００７】
このような第１の態様による電子機器の蓋構造によれば、回動軸の軸線長手方向に設けられた空間にバネとダンパーを配置したので、従来の収納スペースにダンパーやバネを収納することができる。これにより、従来の収納スペースを使用しても、電子機器の蓋を半自動的に開けることができ、また、ダンパーでバネによる蓋の開状態の動作を漸次緩行させることで当該蓋の開く速度を制御することができる。
【０００８】
本発明の第２の態様は第１の態様である電子機器の蓋構造においては、ダンパーとバネとの間に介在されダンパーの軸の一方を固定するとともにバネを設置固定するためのホルダーを配置し、ホルダーは、上ケースのホルダー固定部に固定するものである。
【０００９】
このような第２の態様による電子機器の蓋構造によれば、ダンパーとバネとをホルダーにより回動軸の軸線長手方向に直列で配置することができる。また、ホルダーが上ケースのホルダー固定部に固定され且つこのホルダーにダンパーの軸の一方が固定されているので、蓋を開閉する際にダンパーで蓋の開閉速度を制御することができる。
【００１０】
本発明の第３の態様は第２の態様である電子機器の蓋構造においては、バネの固定部の一方を蓋に、他方をホルダー固定部に固定するものである。
【００１１】
このような第３の態様による電子機器の蓋構造によれば、バネの弾性を蓋に加えることができるので、蓋は常時開く方向にバネの弾性が働くことになる。
【００１２】
本発明の第４の態様は第１の態様乃至第３の態様の何れかである電子機器の蓋構造において、ダンパーはオイルダンパーであり、バネの弾性を外気温度に応じて可変可能に調節する手段を備えるものである。
【００１３】
このような第４の態様による電子機器の蓋構造によれば、オイルダンパ−のオイルの粘性が外気温度によって変化しても、バネの弾性を調節手段によって可変することができるので、外気温度に左右されることなく蓋の開く速度を一定にすることができる。
【発明の効果】
【００１４】
本発明の電子機器の蓋構造によれば、従来の収納スペースにダンパーやバネを収納して電子機器の蓋を半自動的に開けることができ、而もダンパーで蓋の開く速度を制御することができる。
【発明を実施するための最良の形態】
【００１５】
以下、本発明を実施するための最良の実施形態について、図面を参照して説明する。参照する図１は、本発明に適用される電子機器である電気錠解錠装置を示す全体斜視図で、（Ａ）は蓋が閉じた状態の図、（Ｂ）は蓋が開いた状態の図である。図２は認証装置の分解斜視図である。図３は図１とは異なる位置から蓋が開いた状態の電子機器を見た状態を示す全体斜視図である。図４は電子機器の説明図で、（Ａ）は平面図、（Ｂ）は（Ａ）のＣ−Ｃ断面図である。なお、発明を実施するための最良の形態の全体を通じて同一要素には同一参照番号を付す。
【００１６】
本発明の好ましい実施の形態例である電気錠解錠装置は図１、図２に示すように、例えば矩形状の上ケース２と下ケース６で構成され、暗証番号を入力する１０キー、５キーボタンや、指紋、静脈等の生体センサーの入力部１３からの暗証番号、生体照合による認証機能を備えている。入力部１３は、１０キー、５キーボタン１３Ａと生体センサー１３Ｂが別個に設けられている。１０キー、５キーボタン１３Ａはタッチパネルやスイッチング構造が使用され、生体センサー１３Ｂは光学式センサー等が使用されている。この入力部１３は下ケース６に設けられ、上ケース２には下ケース６と組み合わせた際に当該上ケース２で入力部１３が覆われないように開口部２ａが形成されている。また、上ケース２には、下ケース６に設けられた入力部１３を開口部２ａとともに覆い隠すための蓋４が回動可能に設けられている。
【００１７】
蓋４は、例えば矩形状に形成され回動中心側Ａの両端４ａ、４ｂにはそれぞれ当該蓋４が開口部２ａを開閉するための回動中心になるように回動軸１４が形成され、操作側Ｂの裏面には蓋４を閉状態に上ケース２に係止する爪１６が形成されている。この２つの回動軸１４、１４は同軸線上に位置している。また、爪１６を係止したり解除したりするためのプッシュボタン１１が上ケース２に組み込まれている。このプッシュボタン１１は押圧操作前には係止部材１１ａが爪１６に引っ掛かり、押圧操作すると係止部材１１ａが爪１６から離れる機構を備えている。なお、プッシュボタン１１から押圧操作を行なった指を離すと、係止部材１１ａは蓋４の爪１６を引っ掛けることができる位置まで戻る。この機構は一般的な機構を採用するので説明を省略する。
【００１８】
また、この蓋４を上ケース２に組み込むために、蓋４の２つの回動軸１４、１４を回動自在に嵌合させる窪み８ａ、９ａが形成されたシャフトホルダ８、９が上ケース２の所定位置に固定されている（図２、図４（Ｂ）参照）。このシャフトホルダ８、９の窪み８ａ、９ａに回動軸１４、１４を嵌合させることで、蓋４は回動軸１４、１４を回動中心にして回動させることができるようになる。
【００１９】
このような蓋４は、回動軸１４の軸線長手方向に空間１５（図１、図３参照）を設け、この空間１５に、蓋１４を閉状態に係止する爪１６による係止を解除したとき蓋４を開状態とするためのバネ１と、バネ１による開状態の動作を漸次緩行するダンパー１０とを配置している。なお、空間１５を形成する当該蓋４の部位は略円柱状に形成されている。このバネ１にはねじりコイルバネが使用され、ダンパー１０にはオイルダンパーが使用されている。ねじりコイルバネは、その軸線まわりにねじり荷重を受けるバネで、各ねじり端にはそれぞれ腕が形成されている。これら腕がバネ１の固定部１ａ、１ｂとなる。オイルダンパーは、例えばトックベアリング株式会社の有限角一方向ダンパーのＴＤ５６シリーズが好適である。このオイルダンパーは円柱状で両端に軸が設けられ、一方の軸を固定した状態で他方の軸を回転させると、オイルの粘性抵抗を受けるようになっている。いわゆる衝撃緩和性を有している。これら軸がダンパー１０の軸１０ａ、１０ｂとなる。
【００２０】
このダンパー１０とバネ１との間にはホルダー１２が配置されている。ホルダー１２はダンパー１０の一方の軸１０ａを固定する第１の部位１２ａと、バネ１を装着する第２の部位１２ｂと、上ケース２に形成されたホルダー固定部２１に固定する第３の部位１２ｃとから構成されている。これにより、ダンパー１０とバネ１とをホルダー１２により回動軸１４の軸線長手方向に直列で配置することができる。また、第２の部位１２ｂに装着されたバネ１の固定部の他方１ｂが上ケース２のホルダー固定部２１に固定され、バネ１の固定部の一方１ａは蓋４の裏面に固定されている。このようにバネ１を組み込むことで、バネ１の弾性を蓋４に加えることができるので、上ケース２に回動自在に組み込まれた蓋４は常時開く方向にバネ１の弾性が働くことになる。また、第１の部位１２ａに一方の軸１０ａが固定されたダンパー１０の他方の軸１０ｂは、蓋４の空間１５の所定位置に形成された固定ホルダー４ｃ（図３、図４参照）に固定されている。このようにダンパー１０を組み込むことで、上ケース２に回動自在に組み込まれた蓋４を開閉する際にダンパー１０で開閉速度を制御することができる。
【００２１】
このようなオイルダンパー１０は、外気温度によってオイルの粘性が変化し、夏にはオイルの粘性抵抗が小さくなり、冬には粘性抵抗が大きくなるので、季節によって蓋４の開く速度が変わってしまう難点がある。そこで、バネ１の弾性を外気温度に応じて可変可能に調節する手段を備えるとよい。この調節手段を図５、図６に示す。図５は手動方式を採用した電子機器の説明図で、（Ａ）は平面図、（Ｂ）は（Ａ）のＤ−Ｄ断面図で、（Ｃ）は蓋が開放した状態の全体斜視図である。また、図６はバイメタル駆動方式を採用した電子機器の説明図で、（Ａ）は平面図、（Ｂ）は（Ａ）のＥ−Ｅ断面図で、（Ｃ）は蓋が開放した状態の全体斜視図である。
【００２２】
図５に示す手動方式は、バネ１の固定部の他方１ｂを位置変化させることで当該バネ１のねじり荷重を変化させる調節手段３０である。調節手段３０は、ねじ３１を外から回すことが可能に組み込まれた筐体３２の中に当該ねじ３１を嵌め込むことができる板材３３が設けられている。このねじ３１は筐体３２から外れないように先端がＣリング等で係止されている。また、板材３３の上面にはバネ１の固定部の他方１ｂが載せられ、ねじ３１を回すことでバネ１の固定部の他方１ｂを係止した板材３３が上下するので、バネ１の固定部の他方１ｂを位置変化させて当該バネ１のねじり荷重を変化させることができる。
【００２３】
図６に示すバイメタル駆動方式は、熱膨張率が違う２種類の金属の板を張り合わせたバイメタルを利用してバネ１の固定部の他方１ｂを位置変化させることで当該バネ１のねじり荷重を変化させる調節手段４０である。調節手段４０は、ホルダー固定部２１に固定されたバイメタル４１でバネ１の固定部の他方１ｂを支えている。したがって、バイメタル４１が外気温度の変化によって移動するので、バネ１の固定部の他方１ｂを位置変化させて当該バネ１のねじり荷重を変化させることができる。
【００２４】
このように、オイルダンパー１０のオイルの粘性が外気温度によって変化しても、バネ１の弾性を調節手段３０、４０によって可変することができるので、外気温度に左右されることなく蓋４の開く速度を一定にすることができる。
【００２５】
このように構成された電気錠解錠装置の蓋４を上ケース２に装着するには、蓋４の固定ホルダー４ｃにダンパー１０の他方の軸１０ｂを固定し、ダンパー１０の一方の軸１０ａをホルダー１２の第１の部位１２ａに固定する。また、ホルダー１２の第２の部位１２ｂにバネ１を装着して、バネ１の固定部の他方１ｂを上ケース２のホルダー固定部２１に、バネ１の固定部の一方１ａを蓋４の裏面にそれぞれ固定する。そして、ダンパー１０、バネ１及びホルダー１２が組み込まれた蓋４の回動軸１４、１４を、上ケース２の所定位置に固定されたシャフトホルダ８、９の窪み８ａ、９ａに嵌合する。この際、ホルダー１２の第３の部位１２ｃを上ケース２に形成されたホルダー固定部２１に固定する。このように、回動軸１４の軸線長手方向に設けられた空間１５にバネ１とダンパー１０を配置したので、従来の収納スペースにダンパー１０やバネ１を収納することができる。
【００２６】
なお、上ケース２と下ケース６とはビス５によって固定され、この上ケース２には入力部１３やプッシュボタン１１を操作可能にする開口部３ａが形成された意匠パネル３がビス３によって固定されている。
【００２７】
次に、電気錠解錠装置の主に蓋４の開閉動作について説明する。
【００２８】
居住者等が外出先から帰宅すると、電気錠（図示せず）を解錠させるために電気錠解錠装置を操作する。電気錠解錠装置、ここでは指紋照合装置を操作するために入力部１３を覆う蓋４を開ける。
【００２９】
具体的には、居住者が図１（Ａ）の状態で電気錠解錠装置のプッシュボタン１１を押下すると、上ケース２のプッシュボタン１１と連動する係止部材１１ａに係止された蓋４の爪１６が解除される。これによりバネ１が作用し、蓋４が自動的に開状態へ移行する。通常、このバネ１のみが作用する構造の場合、バネ１の作用によって蓋４が勢い良く開いてしまうが、蓋４の回転にともなって、蓋側に固定されたダンパー１０の他方の軸１０ｂが回転してバネ１による開状態の動作を漸次緩行するので、蓋４を緩やかに開くことができる。蓋４は図１（Ｂ）の状態になるまで回動し、バネ１の作用によって開状態を保持する。これにより居住者は入力部１３で指紋照合を行い、指紋が居住者のものと確認されると、電気錠は解錠される。電気錠が解錠されたことを確認した居住者は、開状態になっている蓋４を手動により閉状態にする。このとき、蓋４の爪１６が上ケース２のプッシュボタン１１と連動する係止部材１１ａに係止されるので、再度プッシュボタン１１が押圧操作されるまで開状態になることはない。このように、従来の収納スペースを使用しても、電気錠解錠装置の蓋４を半自動的に開けることができ、また、ダンパー１０でバネ１による蓋４の開状態の動作を漸次緩行させることで当該蓋４の開く速度を制御することができる。
【００３０】
なお、上述した実施形態例においては電子機器を電気錠解錠装置としたが、これに限定されず、電子機器に扉構造を有する電子機器であればどのようなものでもよい。
【００３１】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【図面の簡単な説明】
【００３２】
【図１】本発明の電子機器の蓋構造における好ましい実施の形態例を示す説明図である。
【図２】図１に示す電子機器の分解斜視図である。
【図３】図１に示す電子機器の全体斜視図である。
【図４】図１に示す電子機器の説明図である。
【図５】バネの弾性を手動で調節する手段を示す説明図である。
【図６】バネの弾性をバイメタル機構で調節する手段を示す説明図である。
【符号の説明】
【００３３】
１……バネ
１ａ……固定部の一方
１ｂ……固定部の他方
２……上ケース
２１……ホルダー固定部
４……蓋
６……下ケース
１０……ダンパー
１０ａ……一方の軸
１２……ホルダー
１３……入力部
１４……回動軸
１５……空間
３０、４０……調節手段
【図１】
2007154570.tif 000003
【図２】
2007154570.tif 000004
【図３】
2007154570.tif 000005
【図４】
2007154570.tif 000006
【図５】
2007154570.tif 000007
【図６】
2007154570.tif 000008